(57)【要約】【課題】本発明は、クライアント端末に印字レイアウトを作成する専用アプリケーションをインストールする必要がなく、クライアント端末で印字レイアウトと当該印字レイアウトの可変フィールドに可変データを入力する発行画面とを作成する必要がない発行画面管理システムおよび発行画面管理方法を提供することを課題とする。【解決手段】サーバ装置２の発行画面変換部２２は、管理者端末１から受信した印字レイアウト情報に対応する発行画面情報に基づいてＨＴＭＬ文書等のブラウザで閲覧することができる発行画面１００を作成し、情報記憶部２３に記憶する。サーバ装置２は、クライアント端末３からのアクセスに応じて発行画面１００を提供し、クライアント端末３において発行画面１００に入力された可変データを受信し、発行データ生成部２６は、印字レイアウト情報に受信した可変データを反映させた印字データを生成する。【選択図】        図３
2004206524.tif 000002
【特許請求の範囲】
【請求項１】
印字レイアウトの可変フィールドに可変データを入力する発行画面を管理する発行画面管理システムであって、
前記印字レイアウトと共に当該印字レイアウトに対応する前記発行画面を記憶する情報記憶手段と、
該情報記憶手段に記憶された前記発行画面をクライアント端末に送信する発行画面送信手段と、
前記クライアント端末から前記発行画面に入力された前記可変データを受信する可変データ受信手段と、
該可変データ受信手段によって受信された前記可変データを前記印字レイアウト記憶手段に記憶されている前記印字レイアウトに反映させた印字データを作成する印字データ作成手段と、からなることを特徴とする発行画面管理システム。
【請求項２】
前記情報記憶手段に記憶されている前記発行画面は、ブラウザで閲覧することができるデータ形式であることを特徴とする請求項１記載の発行画面管理システム。
【請求項３】
管理者端末で作成された前記印字レイアウト、および当該印字レイアウトの可変フィールドに可変データを入力する前記発行画面を作成するための発行画面情報を受信する情報受信手段と、
該情報受信手段によって受信された前記発行画面情報をブラウザで閲覧することができるデータ形式の前記発行画面を作成する発行画面作成手段とを具備し、前記情報記憶手段は、前記発行画面作成手段によって作成された前記発行画面を前記情報受信手段によって受信された前記印字レイアウトおよび前記発行画面情報と共に記憶することを特徴とする請求項１又は２記載の発行画面管理システム。
【請求項４】
前記可変データ受信手段によって受信された前記可変データが前記発行画面情報で設定されている入力情報に適合するか否かを判定する可変データ判定手段と、
該可変データ判定手段によって前記可変データが前記発行画面情報で設定されている入力情報に適合しないと判定された場合には、前記クライアント端末にエラー通知を行うエラー通知手段とを具備することを特徴とする請求項３記載の発行画面管理システム。
【請求項５】
印字レイアウトの可変フィールドに可変データを入力する発行画面を管理する発行画面管理方法であって、
前記印字レイアウトと共に当該印字レイアウトに対応する前記発行画面を記憶しておき、
該記憶している前記発行画面をクライアント端末に送信し、
前記クライアント端末から前記発行画面に入力された前記可変データを受信し、
該受信した前記可変データを前記記憶している前記印字レイアウトに反映させた印字データを作成することを特徴とする発行画面管理方法。
【請求項６】
前記記憶している前記発行画面は、ブラウザで閲覧することができるデータ形式であることを特徴とする請求項５記載の発行画面管理方法。
【請求項７】
管理者端末で作成された前記印字レイアウト、および当該印字レイアウトの可変フィールドに可変データを入力する前記発行画面を作成するための発行画面情報を受信し、
該受信した前記発行画面情報をブラウザで閲覧することができるデータ形式の前記発行画面を作成し、
前記作成した前記発行画面を前記受信した前記印字レイアウトおよび前記発行画面と共に記憶することを特徴とする請求項５又は６記載の発行画面管理方法。
【請求項８】
前記受信した前記可変データが前記発行画面情報で設定されている入力情報に適合するか否かを判定し、
前記可変データが前記発行画面情報で設定されている入力情報に適合しないと判定した場合には、前記クライアント端末にエラー通知を行うことを特徴とする請求項７記載の発行画面管理方法。
【請求項９】
コンピュータに請求項５乃至６のいずれかに記載の発行画面管理方法を実行させるための発行画面管理プログラム。
【発明の詳細な説明】
【０００１】
【発明の属する技術分野】
本発明は、印字レイアウトの可変フィールドに可変データを入力する発行画面を管理する発行画面管理システム、発行画面管理方法および発行画面管理プログラムに関し、特にサーバ装置で一元管理している印字レイアウトの可変フィールドに可変データを入力する発行画面をクライアント端末に提供する発行画面管理システム、発行画面管理方法および発行画面管理プログラムに関する。
【０００２】
【従来の技術】
従来、専用プリンタ（ラベルプリンタ、値札プリンタ等）で印字を行う場合には、専用プリンタが接続されているクライアント端末に、専用プリンタに対応する印字レイアウトを作成する印字レイアウト作成用アプリケーションをインストールし、ユーザもしくはサービスマンが印字レイアウト作成用アプリケーションを使用して印字レイアウトを作成し、作成した印字レイアウトを用いて印字していた。
【０００３】
また、サーバ装置に複数の印刷形式を記憶しておき、ユーザが印刷データを印刷しようとするときに、サーバ装置に記憶されている複数の印刷形式の内のいずれか１つの印刷形式を選択し、選択した印刷形式に基づいて印刷データを印刷することで、印刷データの配布先毎に印刷形式の設定を容易に行うことができる印刷システムが提案されている（例えば、特許文献１参照）。
【０００４】
【特許文献１】
特開２００１−１９１６０５号公報
【０００５】
【発明が解決しようとする課題】
しかしながら、従来技術では、専用プリンタに対応する印字レイアウトを作成する印字レイアウト作成用アプリケーションをクライアント端末毎にインストールし、インストールした印字レイアウト作成用アプリケーションを使用して印字レイアウトと当該印字レイアウトの可変フィールドに可変データを入力する発行画面とを作成する必要があり、多くのクライアント端末を使用して専用プリンタに印字を行う場合には、クライアント端末毎に印字レイアウト作成用アプリケーションを用意する必要があり、物的経費が拡大すると共に、各クライアント端末への専用アプリケーションのインストールや、バージョンアップ等のメンテナンス作業と、各クライアント端末での印字レイアウトや、当該印字レイアウトの可変フィールドに可変データを入力する発行画面を作成する作成作業とに多くの労力が必要となり、人的経費が拡大してしまうという問題点があった。
【０００６】
特許文献１においても、サーバ装置に記憶されている印刷形式に基づいた印刷データを編集および作成するのは、クライアント端末であり、クライアント端末毎に専用アプリケーションを用意する必要があり、物的経費が拡大すると共に、各クライアント端末への専用アプリケーションのインストールや、バージョンアップ等のメンテナンス作業に労力が必要となり、さらに、印刷データの入力項目は、クライアント端末で管理しなければならないため、印刷データの編集および作成に手間がかかってしまい、人的経費が拡大してしまうという問題点があった。
【０００７】
本発明は斯かる問題点を鑑みてなされたものであり、その目的とするところは、クライアント端末に印字レイアウトを作成する専用アプリケーションをインストールする必要がなく、多くのクライアント端末を使用して専用プリンタに印字を行う場合にも、クライアント端末毎に印字レイアウトと発行画面とを作成する専用アプリケーションを用意する必要がないため、物的および人的経費を削減することができると共に、クライアント端末で印字レイアウトと当該印字レイアウトの可変フィールドに可変データを入力する発行画面とを作成する必要がない発行画面管理システムおよび発行画面管理方法を提供する点にある。
【０００８】
【課題を解決するための手段】
本発明は上記課題を解決すべく、以下に掲げる構成とした。
請求項１記載の発明の要旨は、印字レイアウトの可変フィールドに可変データを入力する発行画面を管理する発行画面管理システムであって、前記印字レイアウトと共に当該印字レイアウトに対応する前記発行画面を記憶する情報記憶手段と、該情報記憶手段に記憶された前記発行画面をクライアント端末に送信する発行画面送信手段と、前記クライアント端末から前記発行画面に入力された前記可変データを受信する可変データ受信手段と、該可変データ受信手段によって受信された前記可変データを前記印字レイアウト記憶手段に記憶されている前記印字レイアウトに反映させた印字データを作成する印字データ作成手段と、からなることを特徴とする発行画面管理システムに存する。
また請求項２記載の発明の要旨は、前記情報記憶手段に記憶されている前記発行画面は、ブラウザで閲覧することができるデータ形式であることを特徴とする請求項１記載の発行画面管理システムに存する。
また請求項３記載の発明の要旨は、管理者端末で作成された前記印字レイアウト、および当該印字レイアウトの可変フィールドに可変データを入力する前記発行画面を作成するための発行画面情報を受信する情報受信手段と、該情報受信手段によって受信された前記発行画面情報をブラウザで閲覧することができるデータ形式の前記発行画面を作成する発行画面作成手段とを具備し、前記情報記憶手段は、前記発行画面作成手段によって作成された前記発行画面を前記情報受信手段によって受信された前記印字レイアウトおよび前記発行画面情報と共に記憶することを特徴とする請求項１又は２記載の発行画面管理システムに存する。
また請求項４記載の発明の要旨は、前記可変データ受信手段によって受信された前記可変データが前記発行画面情報で設定されている入力情報に適合するか否かを判定する可変データ判定手段と、該可変データ判定手段によって前記可変データが前記発行画面情報で設定されている入力情報に適合しないと判定された場合には、前記クライアント端末にエラー通知を行うエラー通知手段とを具備することを特徴とする請求項３記載の発行画面管理システムに存する。
また請求項５記載の発明の要旨は、印字レイアウトの可変フィールドに可変データを入力する発行画面を管理する発行画面管理方法であって、前記印字レイアウトと共に当該印字レイアウトに対応する前記発行画面を記憶しておき、該記憶している前記発行画面をクライアント端末に送信し、前記クライアント端末から前記発行画面に入力された前記可変データを受信し、該受信した前記可変データを前記記憶している前記印字レイアウトに反映させた印字データを作成することを特徴とする発行画面管理方法に存する。
また請求項６記載の発明の要旨は、前記記憶している前記発行画面は、ブラウザで閲覧することができるデータ形式であることを特徴とする請求項５記載の発行画面管理方法に存する。
また請求項７記載の発明の要旨は、管理者端末で作成された前記印字レイアウト、および当該印字レイアウトの可変フィールドに可変データを入力する前記発行画面を作成するための発行画面情報を受信し、該受信した前記発行画面情報をブラウザで閲覧することができるデータ形式の前記発行画面を作成し、前記作成した前記発行画面を前記受信した前記印字レイアウトおよび前記発行画面と共に記憶することを特徴とする請求項５又は６記載の発行画面管理方法に存する。
また請求項８記載の発明の要旨は、前記受信した前記可変データが前記発行画面情報で設定されている入力情報に適合するか否かを判定し、前記可変データが前記発行画面情報で設定されている入力情報に適合しないと判定した場合には、前記クライアント端末にエラー通知を行うことを特徴とする請求項７記載の発行画面管理方法に存する。
また請求項９記載の発明の要旨は、コンピュータに請求項５乃至６のいずれかに記載の発行画面管理方法を実行させるための発行画面管理プログラムに存する。
【０００９】
【発明の実施の形態】
以下、本発明の実施の形態を図面に基づいて詳細に説明する。
【００１０】
図１は、発行画面管理システムの実施の形態の構成を示すシステム構成図であり、図２は、図１に示す管理者端末の構成を示すブロック図であり、図３は、図１に示すサーバ装置の構成を示すブロック図であり、図４は、図３に示す発行画面変換部で作成される発行画面例を示す図であり、図５は、図３に示す情報記憶部の記憶内容を示す図であり、図６は、図３に示す画面生成部で生成される印字レイアウト一覧画面例を示す図であり、図７は、図３に示す画面生成部で生成される発行データダウンロード画面例を示す図である。
【００１１】
本実施の形態は、図１を参照すると、管理者端末１と、サーバ装置２と、クライアント端末３とがインターネット４によって接続され、サーバ装置２には、サーバプリンタ８が接続され、クライアント端末３には、ラベルプリンタ５と値札プリンタ６とがＬＡＮ等のネットワーク７を介して接続される構成となっている。管理者端末１とサーバ装置２とクライアント端末３とは、プログラムによって動作するコンピュータ等の情報処理装置であり、インターネット４を介して情報通信を行う機能を有している。なお、インターネット４の代わりにイントラネットによって管理者端末１、サーバ装置２およびクライアント端末３を接続するようにしても良い。
【００１２】
管理者端末１は、図２を参照すると、キーボード等の入力部１１と、入力部１１からの入力に応じて印字レイアウト情報、発行画面情報およびプリンタ情報を作成する印字レイアウト作成部１２と、印字レイアウト作成部１２によって作成された印字レイアウト情報、発行画面情報およびプリンタ情報をサーバ装置２に送信する情報送信部１３とからなる。
【００１３】
印字レイアウト作成部１２で作成される印字レイアウト情報は、プリンタで印字されるラベル、値札等の印字レイアウトを示す情報であり、固有の印字レイアウト名で管理される。印字レイアウト情報として、固定フィールド（予め入力された固定データを印字するフィールド）と可変フィールド（可変データが印字されるフィールド）とが設定され、固定フィールドおよび可変フィールドについて、印字座標（Ｘ，Ｙ）、種別（文字、バーコード、罫線等）および修飾情報（拡大率、反転、回転等）が設定される。
【００１４】
また、印字レイアウト作成部１２では、印字レイアウト情報を作成する際に、設定された可変フィールドに可変データを入力するための発行画面情報が作成される。発行画面情報は、印字レイアウト情報の可変フィールドに印字する可変データを入力するための発行画面を作成するための情報であり、発行画面情報として、ボタン情報（ラジオ、確定、キャンセル、削除等）、文字情報（タイトル、入力項目名等）、入力情報（入力座標、桁数、入力属性等）等が設定される。
【００１５】
さらに、作成された印字レイアウト情報に対応するプリンタ情報が入力部１１からの入力に応じて作成される。プリンタ情報は、ラベル、値札を印字するプリンタを選択するプリンタ選択情報と、印字する際のプリンタの設定を指示するプリンタ設定情報とからなり、プリンタ情報として、プリンタ機種名、種別番号、プリンタ名、ＩＰアドレス、プリンタドライバ名等のプリンタ選択情報と、印字速度、印字濃度、補正座標、仕分け／カット動作の有無等のプリンタ設定情報とが設定される。プリンタ選択情報は、対応する印字レイアウト情報に基づいて印字するプリンタを特定するための情報であり、上記プリンタ選択情報の複数もしくは１つを設定することによって１台のプリンタが特定される。すなわち、クライアント端末３に直接、もしくはＬＡＮ又はインターネット等で接続されているプリンタの中に同機種のプリンタがない場合には、プリンタ機種名のみを設定することによって印字する１台のプリンタを特定することができ、同機種のプリンタが複数台ある場合には、プリンタ機種名＋種別番号などの組合せにより設定することで印字する１台のプリンタを特定することができる。
また、上記のプリンタ選択情報により、本発明を実施するシステムの規模や環境に合わせて柔軟にシステム構築をすることができるという効果を奏する。
【００１６】
情報送信部１３は、ＨＴＴＰ（HyperText Transfer Protocol）によってＨＴＭＬ（HyperText Markup Language）文書や、ＨＴＭＬ文書に関連付けられているファイルを送信する機能を有し、印字レイアウト作成部１２で作成された印字レイアウト情報と、当該印字レイアウト情報に対応して作成された発行画面情報およびプリンタ情報とをサーバ装置２に送信する。
【００１７】
サーバ装置２は、ＷＷＷ（World Wide Web）システムにおいて、ＨＴＭＬ文書や、ＨＴＭＬ文書に関連付けられているファイルを記憶しておき、クライアント端末３からのリクエストに応じて、インターネット４を介してＨＴＭＬ文書や、ＨＴＭＬ文書に関連付けられているファイルをクライアント端末３に送信するコンピュータであり、図３を参照すると、情報送受信部２１と、発行画面変換部２２と、情報記憶部２３と、画面生成部２４と、発行データ生成部２５と、発行データ記憶部２６とからなる。
【００１８】
情報送受信部２１は、ＨＴＴＰによってＨＴＭＬ文書や、ＨＴＭＬ文書に関連付けられているファイルを送受信する機能を有し、管理者端末１からの印字レイアウト情報、発行画面情報およびプリンタ情報と、クライアント端末３からの各種リクエストとを受信すると共に、クライアント端末３からのリクエストに応じて各種画面と作成した発行データとをクライアント端末３に送信する。
【００１９】
発行画面変換部２２は、管理者端末１から受信した印字レイアウト情報に対応する発行画面情報に基づいてＨＴＭＬ文書等のブラウザで閲覧することができる発行画面１００を作成する。発行画面１００は、図４に示すように、印字レイアウト名表示領域１０１と、可変フィールドに付けられた入力項目名を表示する入力項目名表示領域１０２と、可変データを入力する入力領域１０３と、外部ファイルボタン１０４と、発行動作ボタン１０５と、ツールボタン１０６と、発行指示ボタン１０７とからなり、クライアント端末３において入力領域１０３に可変データである商品名、価格およびバーコード等の入力が行われる画面である。なお、外部ファイルボタン１０４、発行動作ボタン１０５、ツールボタン１０６および発行指示ボタン１０７の機能については、後述する。
【００２０】
なお、発行画面変換部２２において作成される発行画面１００は、ブラウザの機能に対応するように作成されるため、管理者端末１から受信した発行画面情報の全てが反映されない場合があり、発行画面変換部２２は、管理者端末１から受信した発行画面情報の内、ブラウザで対応することができる情報のみを抽出して発行画面１００を作成する。すなわち、発行画面変換部２２では、発行画面情報の内、ブラウザで対応することができない情報、例えば入力属性（全角、半角、数字等）等をブラウザ形式に変換することなく、ブラウザで対応することができる情報、例えば入力座標、桁数、文字情報等のみをブラウザ形式に変換してＨＴＭＬ文書等のブラウザで閲覧することができる発行画面１００が作成される。
【００２１】
情報記憶部２３は、ハードディスク等の情報記憶手段であり、図５に示すように、発行画面変換部２２によって作成された発行画面１００と、管理者端末１の印字レイアウト作成部１２によって作成された印字レイアウト情報、発行画面情報および、プリンタ選択情報とプリンタ設定情報とからなるプリンタ情報とが、情報送受信部２１を介して記憶される。
【００２２】
画面生成部２４は、クライアント端末３からのアクセスに応じて、情報記憶部２３および発行データ記憶部２６を参照して各種画面を生成し、情報送受信部２１を介してクライアント端末３に提供する。画面生成部２４では、図６に示す、情報記憶部２３に記憶されている印字レイアウト情報のレイアウト名を一覧表示する印字レイアウト一覧画面２００と、図７に示す、発行データ記憶部２６にダウンロード可能な状態で記憶された発行データのＵＲＬ（Uniform Resource Locator）を含む発行データダウンロード画面３００とが生成される。
【００２３】
発行データ生成部２５は、情報記憶部２３から印字レイアウト情報とプリンタ情報とを読み出し、読み出した印字レイアウト情報に可変データを反映させて印字データを生成し、生成した印字データをプリンタ情報によって指定されているプリンタ言語に変換すると共に、プリンタ言語に変換した印字データと読み出したプリンタ情報とからなる発行データを生成し、例えばＣＡＢ形式等に圧縮する。
【００２４】
発行データ記憶部２６は、発行データ生成部２５によって作成された発行データを記憶する記憶手段である。
【００２５】
クライアント端末３は、市販されているインターネットエクスプローラーやネットスケープなどのブラウザを有しており、インターネット４を介してサーバ装置２にアクセスしてサーバ装置２が提供する各種画面を閲覧できる構成となっている。また、クライアント端末３には、サーバ装置２から受信した発行データをクライアント端末３内ＯＳの標準ライブラリ（Dynamic Link Library）機能を利用して自動解凍し、ＬＡＮ、出力ポート（ＬＰＴ又はＣＯＭ）又は必要に応じてプリンタドライバを介して、ラベルプリンタ５および値札プリンタ６に発行データを送信する発行プログラムが記憶されている。
【００２６】
次に、本実施の形態の印字レイアウト登録動作について図８を参照して詳細に説明する。
図８は、本発明に係る発行画面管理システムの実施の形態の印字レイアウト登録動作を説明するためのフローチャートである。
【００２７】
図８を参照すると、管理者端末１において、印字レイアウト情報の作成（ステップＡ１）、発行画面情報の作成（ステップＡ２）およびプリンタ情報の作成（ステップＡ３）を行い、印字レイアウト情報と、当該印字レイアウト情報に対応する発行画面情報およびプリンタ情報とを管理者端末１からサーバ装置２に送信する（ステップＡ４）。
【００２８】
サーバ装置２の情報送受信部２１は、印字レイアウト情報と、当該印字レイアウト情報に対応する発行画面情報およびプリンタ情報とを受信し、発行画面変換部２２は、受信した発行画面情報に基づいてＨＴＭＬ文書等のブラウザで閲覧することができる発行画面１００を作成し（ステップＡ５）、情報記憶部２３は、印字レイアウト情報と、当該印字レイアウト情報に対応する発行画面情報およびプリンタ情報と、発行画面変換部２２で作成された発行画面１００とを印字レイアウト名で関連付けて登録する（ステップＡ６）。図５には、情報記憶部２３に５種類の印字レイアウト情報が登録されている例が示されており、それぞれの発行画面１００は、異なるＵＲＬに記憶されている。
【００２９】
次に、本実施の形態の発行動作について図９を参照して詳細に説明する。
図９は、本発明に係る発行画面管理システムの実施の形態の発行動作を説明するためのフローチャートである。
【００３０】
図９を参照すると、クライアント端末３においてブラウザを立ち上げてサーバ装置２（指定のＵＲＬ）にアクセスする（ステップＢ１）。サーバ装置２は、クライアント端末３からのアクセスがあると、画面生成部２４は、情報記憶部２３に記憶されている印字レイアウト情報のレイアウト名を一覧表示する印字レイアウト一覧画面２００を生成し（ステップＢ２）、情報送受信部２１は、画面生成部２４によって生成された印字レイアウト一覧画面２００をクライアント端末３に送信する。なお、印字レイアウト一覧画面２００に、可変フィールドの入力項目名や、印字レイアウト情報をイメージに変換した印字レイアウトのイメージ情報（例えば、サムネイル）等を印字レイアウト名と共に表示するようにすると、印字レイアウトの選択が容易に行えて好適である。
【００３１】
印字レイアウト一覧画面２００に表示されている各印字レイアウト名には、それぞれの印字レイアウト情報に対応する発行画面１００がリンクされており、クライアント端末３で印字レイアウト一覧画面２００から印字する所望の印字レイアウト名を選択してクリックすると（ステップＢ３）、クリックされた印字レイアウト名に対応する発行画面１００が情報記憶部２３から読み出され、サーバ装置２からクライアント端末３に送信される。
【００３２】
クライアント端末３において、発行画面１００の入力領域１０３に可変データの入力をそれぞれ行う（ステップＢ５）。入力領域１０３への可変データの入力は、事前に入力項目に対応する可変データがテキストファイル等で登録されている場合には、可変データが登録されているファイル（以下、外部ファイルと称す）から可変データを読み込むことによって行うことができる。すなわち、発行画面１００において、外部ファイルボタン１０４をクリックすることにより、ファイル選択画面が開き、ファイル選択画面で外部ファイルを選択することによって入力領域１０３に登録されている可変データの入力が行われる。なお、外部ファイルを使用する場合には、入力領域１０３の入力項目と外部ファイルに登録されている可変データとが一致する必要があるため、ファイル選択画面において発行画面１００に対応する外部ファイルのみを選択可能にすると好適であり、例えば、発行画面１００の印字レイアウト名をフォルダ名としたフォルダ内に外部ファイルを登録するようにすれば、発行画面１００に対応する外部ファイルのみを選択可能とすることができる。
【００３３】
外部ファイルから可変データを読み込む方法は、ツールボタン１０６をクリックすることによって設定可能になっている。ツールボタン１０６をクリックすると、外部ファイル読み込み設定画面が開き、外部ファイル名の指定と、指定した外部ファイルの読み込み方法を設定することができ、外部ファイルの読み込み方法として、例えば固定長データとして読み込みか、あるいはカンマ、タブもしくはピリオドで区切られたデータとしての読み込みかのいずれかを指定する。
【００３４】
次に、クライアント端末３において、発行画面１００の発行指示ボタン１０７がクリックされると（ステップＢ６）、入力領域１０３に入力された可変データが発行指示通知と共にクライアント端末３からサーバ装置２に送信される。
【００３５】
なお、発行画面１００では、印字するプリンタを選択することができるようになっている。発行動作ボタン１０５をクリックすると、プリンタ選択画面が開き、開いたプリンタ選択画面で印字するプリンタを選択することにより、出力先変更情報が作成される。作成された出力先変更情報は、発行指示ボタン１０７がクリックされると（ステップＢ６）、可変データおよび発行指示通知と共にクライアント端末３からサーバ装置２に送信される。
【００３６】
サーバ装置２の情報送受信部２１は、クライアント端末３からの発行指示通知を受信すると、同時に受信される可変データを発行データ生成部２５に出力し、発行データ生成部２５は、受信した可変データの内、情報記憶部２３に記憶されている発行画面情報の入力情報に適合していない可変データがあるか否かを判定し（ステップＢ７）、入力情報に適合していない可変データがあると判定した場合には、可変データと当該可変データの判定結果とを画面生成部２４に出力し、画面生成部２４は、受信した可変データと当該可変データの判定結果とを発行画面１００に反映させたエラー通知画面を作成し（ステップＢ８）、情報送受信部２１は、画面生成部２４によって作成されたエラー通知画面をクライアント端末３に送信する。発行データ生成部２５は、例えば、発行画面情報の入力情報で入力属性が半角で設定されている入力項目に対し、全角で可変データが入力されている場合に、入力情報に適合していない可変データがあると判定する。また、画面生成部２４によって作成されるエラー通知画面では、例えば、入力情報に適合していない可変データを赤字等の目立つ色で表示して発行画面情報の入力情報に適合していない可変データの再入力を促す。
【００３７】
発行データ生成部２５は、ステップＢ７で受信した可変データの全てが入力情報に適合していると判定した場合には、ステップＢ８の動作を省略し、情報記憶部２３から印字レイアウト情報とプリンタ情報とを読み出し、読み出した印字レイアウト情報に可変データを反映させた印字データを生成し、生成した印字データをプリンタ情報のプリンタ選択情報によって指定されているプリンタ言語に変換する。さらに発行データ生成部２５は、プリンタ言語に変換した印字データと読み出したプリンタ情報とからなる発行データを生成し（ステップＢ９）、生成した発行データを発行データ記憶部２６にダウンロード可能な状態で記憶させる（ステップＢ１０）。また、発行データ生成部２５は、記憶させた発行データのＵＲＬを画面生成部２４に通知し、画面生成部２４は、通知されたＵＲＬを含む発行データダウンロード画面３００を生成し（ステップＢ１１）、発行データダウンロード画面３００をクライアント端末３に送信する。
【００３８】
プリンタ選択情報でクライアント端末３と接続されているラベルプリンタ５もしくは値札プリンタ６が指定されている場合には、上述のステップＢ９〜Ｂ１１の動作が行われるが、プリンタ選択情報でサーバプリンタ８がプリンタ名もしくはＩＰアドレスで指定されている場合には、発行データ生成部２５は、サーバプリンタ８からの印字動作を実行する。すなわち、発行データ生成部２５は、情報記憶部２３から印字レイアウト情報とプリンタ情報とを読み出し、読み出したプリンタ情報のプリンタ選択情報によってサーバプリンタ８が指定されているので、読み出した印字レイアウト情報に可変データを反映させ、プリンタ情報のプリンタ選択情報によって指定されているプリンタ言語に変換した印字データと、プリンタ情報のプリンタ設定情報とをサーバプリンタ８に送信し、サーバプリンタ８によってプリンタ設定情報で指定されている印字条件で印字データの印字が行われる。
【００３９】
サーバ装置２の情報送受信部２１によって可変データおよび発行指示通知と共に出力先変更情報が受信された場合には、出力先変更情報で指定されたプリンタへの印字動作が行われる。すなわち、出力先変更情報で指定されたプリンタがクライアント端末３と接続されているラベルプリンタ５もしくは値札プリンタ６である場合には、上述のステップＢ９〜Ｂ１１の動作が行われ、出力先変更情報で指定されたプリンタがサーバプリンタ８である場合には、上述のサーバプリンタ８からの印字動作を実行する。
【００４０】
クライアント端末３において、発行データダウンロード画面で発行データのＵＲＬをクリックする（ステップＢ１２）ことにより、サーバ装置２からクライアント端末３に発行データのダウンロードが開始される（ステップＢ１３）と共に、発行データに付与された拡張子と発行プログラムとの関連付けがなされる。従って、サーバ装置２からクライアント端末３にダウンロードされた発行データは、発行プログラムの制御によって処理され、プリンタ情報のプリンタ選択情報で選択されているプリンタに、プリンタ情報のプリンタ設定情報と印字データとが送信され、プリンタ設定情報で指定されている印字条件で印字データの印字が行われる（ステップＢ１４）。なお、ダウンロードされた発行データの内の印字データは、既にプリンタ情報のプリンタ選択情報で選択されたプリンタに対応するプリンタ言語に変換されているため、クライアント端末３では、プリンタ言語への変換作業を必要としない。
【００４１】
以上説明したように、本実施の形態によれば、サーバ装置２で印字レイアウト情報と当該印字レイアウト情報に対応する発行画面１００とを一元管理し、クライアント端末３では、サーバ装置２から提供された発行画面１００に基づいて可変データの入力を行い、サーバ装置２において、クライアント端末３で入力された可変データを印字レイアウト情報に反映させた印字データを生成するように構成することにより、クライアント端末３に印字レイアウトを作成する専用アプリケーションをインストールする必要がなく、多くのクライアント端末３を使用して専用プリンタに印字を行う場合にも、クライアント端末３毎に印字レイアウトと発行画面とを作成する専用アプリケーションを用意する必要がないため、物的および人的経費を削減することができると共に、クライアント端末３で印字レイアウトと当該印字レイアウトの可変フィールドに可変データを入力する発行画面とを作成する必要がないという効果を奏する。
【００４２】
さらに、本実施の形態によれば、可変データを受け付ける発行画面１００をＨＴＭＬ文書等のブラウザで閲覧することができる形式でサーバ装置２に記憶しておくことにより、汎用のブラウザを使用して発行画面１００にアクセスすることができるため、クライアント端末３の設置場所が限定されることなく、新設のクライアント端末３からもブラウザの操作のみで発行作業を簡単に行うことができるという効果を奏する。
【００４３】
さらに、本実施の形態によれば、サーバ装置２でクライアント端末３からの可変データの内、発行画面情報の入力情報と適合しない可変データがあるか否かを判定するように構成することにより、ブラウザの機能に左右されることなく可変データの適合性の判定を行うことができるという効果を奏する。
【００４４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００４５】
【発明の効果】
本発明の発行画面管理システム、発行画面管理方法および発行画面管理プログラムは、サーバ装置で印字レイアウト情報と当該印字レイアウト情報に対応する発行画面とを一元管理し、クライアント端末では、サーバ装置から提供された発行画面に基づいて可変データの入力を行い、サーバ装置において、クライアント端末で入力された可変データを印字レイアウト情報に反映させた印字データを生成するように構成することにより、クライアント端末に印字レイアウトを作成する専用アプリケーションをインストールする必要がなく、多くのクライアント端末を使用して専用プリンタに印字を行う場合にも、クライアント端末毎に印字レイアウトと発行画面とを作成する専用アプリケーションを用意する必要がないため、物的および人的経費を削減することができると共に、クライアント端末で印字レイアウトと当該印字レイアウトの可変フィールドに可変データを入力する発行画面とを作成する必要がないという効果を奏する。
【００４６】
さらに、本発明の発行画面管理システム、発行画面管理方法および発行画面管理プログラムは、可変データを受け付ける発行画面をＨＴＭＬ文書等のブラウザで閲覧することができる形式でサーバ装置に記憶しておくことにより、汎用のブラウザを使用して発行画面にアクセスすることができるため、クライアント端末の設置場所が限定されることなく、新設のクライアント端末からもブラウザの操作のみで発行作業を簡単に行うことができるという効果を奏する。
【００４７】
さらに、本発明の発行画面管理システム、発行画面管理方法および発行画面管理プログラムは、サーバ装置でクライアント端末からの可変データの内、発行画面情報の入力情報と適合しない可変データがあるか否かを判定するように構成することにより、ブラウザの機能に左右されることなく可変データの適合性の判定を行うことができるという効果を奏する。
【図面の簡単な説明】
【図１】本発明に係る発行画面管理システムの実施の形態の構成を示すシステム構成図である。
【図２】図１に示す管理者端末の構成を示すブロック図である。
【図３】図１に示すサーバ装置の構成を示すブロック図である。
【図４】図３に示す発行画面変換部で作成される発行画面例を示す図である。
【図５】図３に示す情報記憶部の記憶内容を示す図である。
【図６】図３に示す画面生成部で生成される印字レイアウト一覧画面例を示す図である。
【図７】図３に示す画面生成部で生成される発行データダウンロード画面例を示す図である。
【図８】本発明に係る発行画面管理システムの実施の形態の印字レイアウト登録動作を説明するためのフローチャートである。
【図９】本発明に係る発行画面管理システムの実施の形態の発行動作を説明するためのフローチャートである。
【符号の説明】
１  管理者端末
２  サーバ装置
３  クライアント端末
４  インターネット
５  ラベルプリンタ
６  値札プリンタ
７  ネットワーク
８  サーバプリンタ
１１  入力部
１２  印字レイアウト作成部
１３  情報送信部
２１  情報送受信部
２２  発行画面変換部
２３  情報記憶部
２４  画面生成部
２５  発行データ生成部
２６  発行データ記憶部
１００  発行画面
１０１  印字レイアウト名表示領域
１０２  入力項目名表示領域
１０３  入力領域
１０４  外部ファイルボタン
１０５  発行動作ボタン
１０６  ツールボタン
１０７  発行指示ボタン
２００  印字レイアウト一覧画面
３００  発行データダウンロード画面
【図１】
2004206524.tif 000003
【図２】
2004206524.tif 000004
【図３】
2004206524.tif 000005
【図４】
2004206524.tif 000006
【図５】
2004206524.tif 000007
【図６】
2004206524.tif 000008
【図７】
2004206524.tif 000009
【図８】
2004206524.tif 000010
【図９】
2004206524.tif 000011